(57)【要約】      （修正有）【課題】使用者の手指がドアボタンおよび前板カバー相互間に挟まれることを防止する。【解決手段】使用者が手指でドアボタン３８の操作領域を後方へ押した場合にはドアボタン３８が非押込み状態から押込み状態に回動することに応じて使用者の手指が前板カバー５３の操作窓５５に対して後方へ移動する。このドアボタン３８の操作領域ではドアボタン３８の外周面および保護カバー５８の内周面相互間の隙間寸法が使用者の手指の太さに比べて小さな寸法に設定されており、ドアボタン３８が押込み状態から非押込み状態に自己復帰するときに使用者の手指がドアボタン３８および前板カバー５３相互間に挟まれることがなくなる。【選択図】図５
2012024136.tif 000002
【特許請求の範囲】
【請求項１】
衣類が投入される槽が内部に収納されたものであって、使用者側である前方に前板を有する外箱と、
前記外箱の前板を前方から覆うものであって、貫通孔状の操作窓を有する前蓋と、
前記外箱の前板に軸を中心に非押込み状態および押込み状態相互間で変位可能に設けられた操作子と、
前記操作子に対して相対的に静止するものであって、前記操作子を非押込み状態および押込み状態のそれぞれで取り囲む筒状をなすと共に前記操作子が非押込み状態および押込み状態相互間で変位することを許容するように前記操作子の表面に対して離間する保護部材を備え、
前記操作子は、
非押込み状態で前記軸とは反対側の操作領域が使用者の手指で後方へ押された場合に前記前蓋の操作窓に比べて後方の押込み状態に前記軸を中心とする曲状の軌跡で傾き、押込み状態で当該操作領域から使用者の手指が離された場合に押込み状態から非押込み状態に前記軸を中心とする曲状の軌跡で自己復帰するものであり、
前記保護部材は、
前記操作子が非押込み状態および押込み状態相互間で変位する場合に前記操作子の操作領域において前記操作子の外周面および前記保護部材の内周面相互間に使用者が手指を挿入することが不能な大きさの隙間を形成するものであることを特徴とする衣類洗濯機。
【請求項２】
衣類が投入される槽が内部に収納されたものであって、使用者側である前方に前板を有する外箱と、
前記外箱の前板を前方から覆うものであって、貫通孔状の操作窓を有する前蓋と、
前記外箱の前板に軸を中心に非押込み状態および押込み状態相互間で変位可能に設けられた操作子と、
前記操作子に対して相対的に静止するものであって、前記操作子を非押込み状態および押込み状態のそれぞれで取り囲む筒状をなすと共に前記操作子が非押込み状態および押込み状態相互間で変位することを許容するように前記操作子の表面に対して離間する保護部材を備え、
前記操作子は、
非押込み状態で前記軸とは反対側の操作領域が使用者の手指で後方へ押された場合に前記前蓋の操作窓に比べて後方の押込み状態に前記軸を中心とする曲状の軌跡で傾き、押込み状態で当該操作領域から使用者の手指が離された場合に押込み状態から非押込み状態に前記軸を中心とする曲状の軌跡で自己復帰するものであり、
前記保護部材は、
前記操作子が非押込み状態および押込み状態相互間で変位する場合に前記操作子の操作領域において前記操作子の外周面および前記保護部材の内周面相互間に使用者が手指を挿入することが不能な大きさの隙間を形成するものであることを特徴とする衣類乾燥機。
【請求項３】
前記前蓋は、
前記操作子が非押込み状態および押込み状態相互間で変位する場合の軌跡に対して交差する方向に型割りされる第１の成形型内に合成樹脂を注入することで前記外箱の前板と前記操作子と前記保護部材のそれぞれとは別に成形されたものであり、
前記保護部材は、
前記第１の成形型とは別の第２の成形型内に合成樹脂を注入することで前記外箱の前板と前記操作子と前記前蓋のそれぞれとは別に成形されたものであって、前記操作子が非押込み状態および押込み状態相互間で変位する場合の軌跡に対して平行な曲状の内面を有していることを特徴とする請求項１に記載の衣類洗濯機または請求項２に記載の衣類乾燥機。
【発明の詳細な説明】
【技術分野】
【０００１】
実施例は洗濯乾燥機に関する。
【背景技術】
【０００２】
洗濯乾燥機には外箱の前板に操作子を設けた構成のものがある。外箱は衣類が投入される槽が内部に収納されたものであり、外箱の前板には前蓋が設けられている。この前蓋は外箱の前板を使用者側である前方から覆うものであり、前蓋には貫通孔状の操作窓が設けられている。この操作窓は使用者が操作子を手指で後方へ押すためのものであり、使用者が操作窓を通して手指で操作子を後方へ押した場合には操作子が非押込み状態から押込み状態に変位し、使用者が操作子から手指を離した場合には操作子が非押込み状態から押込み状態に自己復帰する。
【先行技術文献】
【特許文献】
【０００３】
【特許文献１】特開２００６−１８１０１９号公報
【発明の概要】
【発明が解決しようとする課題】
【０００４】
上記洗濯乾燥機の場合には操作子の押込み状態が前蓋の操作窓に対して後方に設定されているので、使用者が操作子を押込み状態に操作した後に操作子から手指を離した瞬間には使用者の手指が前蓋の操作窓に対して後方にある。このため、使用者が手指を前蓋の操作窓に対して前方へ素早く引っ込めない場合には操作子が押込み状態から非押込み状態に自己復帰するときに使用者の手指が操作子および前蓋相互間に挟まれる虞がある。
【課題を解決するための手段】
【０００５】
実施例の洗濯乾燥機は、衣類が投入される槽が内部に収納されたものであって使用者側である前方に前板を有する外箱と、前記外箱の前板を前方から覆うものであって貫通孔状の操作窓を有する前蓋と、前記外箱の前板に軸を中心に非押込み状態および押込み状態相互間で変位可能に設けられた操作子と、前記操作子に対して相対的に静止するものであって前記操作子を非押込み状態および押込み状態のそれぞれで取り囲む筒状をなすと共に前記操作子が非押込み状態および押込み状態相互間で変位することを許容するように前記操作子の表面に対して離間する保護部材を備え、前記操作子は非押込み状態で前記軸とは反対側の操作領域が使用者の手指で後方へ押された場合に前記前蓋の操作窓に比べて後方の押込み状態に前記軸を中心とする曲状の軌跡で傾くと共に押込み状態で当該操作領域から使用者の手指が離された場合に押込み状態から非押込み状態に前記軸を中心とする曲状の軌跡で自己復帰するものであり、前記保護部材は前記操作子が非押込み状態および押込み状態相互間で変位する場合に前記操作子の操作領域において前記操作子の外周面および前記保護部材の内周面相互間に使用者が手指を挿入することが不能な大きさの隙間を形成するものであるところに特徴を有する。
【図面の簡単な説明】
【０００６】
【図１】実施例１を示す図（洗濯乾燥機の外観を示す図）
【図２】洗濯乾燥機の内部構成を示す断面図
【図３】ドアボタンおよびドアロック機構の外観を示す図
【図４】図３のＸ４線に沿う断面図
【図５】図３のＸ５線に沿う断面図（ａはドアボタンを非押込み状態で示す断面図、ｂはドアボタンを押込み状態で示す断面図）
【図６】ドアボタンの外観を押込み状態で示す図
【図７】保護カバーの外観をドアボタンの取外し状態で示す図
【図８】保護カバーの外観を示す図
【発明を実施するための形態】
【０００７】
【実施例１】
【０００８】
図１の外箱１は中空状をなすものであり、前板２と後板３と左側板４と右側板５と底板６と天板７を相互に接合することから構成されている。前板２は下から上に向けて後方へ傾斜する金属板から構成されたものであり、後板３と左側板４と右側板５のそれぞれは垂直な金属板から構成され、底板６および天板７のそれぞれは水平な金属板から構成されたものであり、天板７には天板７を上方から覆う合成樹脂製の天板カバー７ａが固定されている。
【０００９】
外箱１の内部には、図２に示すように、水受槽８が固定されている。この水受槽８は円形状の後板および後板を取り囲む円筒状の周板を有するものであり、軸心線ＣＬが前から後に向けて下降する傾斜状態に配置されている。この水受槽８は衣類を洗濯するための水を受けるものであり、水受槽８の後板には水受槽８の外部に位置してドラムモータ９が固定されている。このドラムモータ９は水受槽８の内部に突出する回転軸を有するものであり、ドラムモータ９の回転軸には水受槽８の内部に位置してドラム１０が固定されている。このドラム１０は円形状の後板および後板を取り囲む円筒状の周板を有するものであり、ドラム１０の軸心線は水受槽８の軸心線ＣＬに重ねて配置されている。このドラム１０は衣類が投入されるものであり、ドラムモータ９の運転状態でドラムモータ９の回転軸と一体的に回転する。このドラム１０は槽に相当する。
【００１０】
ドラム１０には、図２に示すように、複数の貫通孔１１が形成されており、ドラム１０の内部空間は複数の貫通孔１１のそれぞれを通して水受槽８の内部空間に接続されている。このドラム１０には複数のバッフル１２が固定されている。これら複数のバッフル１２のそれぞれはドラム１０が回転することに応じて軸心線ＣＬを中心に円周方向へ移動するものであり、ドラム１０内の衣類は複数のバッフル１２のそれぞれに引掛かりながら円周方向へ移動した後に重力で落下することで撹拌される。
【００１１】
外箱１の内部には、図２に示すように、水受槽８に比べて高所に位置して給水弁１３が固定されている。この給水弁１３は入口および出口を有するものであり、給水弁１３の入口は水道の蛇口に接続されている。この給水弁１３は給水弁モータを駆動源とするものであり、給水弁１３の出口は給水弁モータが回転操作されることに応じて開放状態および閉鎖状態相互間で切換えられる。この給水弁１３の出口は水受槽８内に接続されており、給水弁１３の開放状態では水道水が給水弁１３を通して水受槽８内に注入される。この水受槽８には最底部に位置して排水管１４の上端部が接続されており、排水管１４には排水弁１５が介在されている。この排水弁１５は排水弁モータを駆動源とするものであり、排水弁モータが回転操作されることに応じて開放状態および閉鎖状態相互間で切換えられる。この排水弁１５の閉鎖状態では給水弁１３の出口から水受槽８内に注入された水道水が水受槽８内に貯留され、排水弁１５の開放状態では水受槽８内の水道水が排水管１４を通して水受槽８の外部に排出される。
【００１２】
外箱１の底板６には、図２に示すように、メインダクト１６が固定されている。このメインダクト１６は前後方向へ指向する筒状をなすものであり、メインダクト１６の前端部は前ダクト１７を介して水受槽８に接続されている。このメインダクト１６の後端部にはファンケーシング１８が固定されている。このファンケーシング１８は貫通孔状の吸気口１９および筒状の排気口２０を有するものであり、ファンケーシング１８の吸気口１９はメインダクト１６に接続され、ファンケーシング１８の排気口２０は後ダクト２１を介して水受槽８に接続されている。このファンケーシング１８にはファンモータ２２が固定されている。このファンモータ２２の回転軸にはファンケーシング１８内に位置してファン２３が固定されており、ファンモータ２２の運転状態ではファン２３が回転することで水受槽８内の空気が前ダクト１７とメインダクト１６とファンケーシング１８と後ダクト２１のそれぞれを順に通って水受槽８内に戻る。このメインダクト１６内にはコンデンサ２４およびエバポレータ２５が固定されている。これらコンデンサ２４およびエバポレータ２５のそれぞれは冷媒管の外周面に熱交換用の複数のフィンを接合することから構成されたものであり、コンデンサ２４はエバポレータ２５に比べて後方に配置されている。
【００１３】
外箱１の底板６には、図２に示すように、メインダクト１６の外部に位置してコンプレッサ２６が固定されている。このコンプレッサ２６は吐出口および吸込口を有するものであり、コンデンサ２４はコンプレッサ２６の吐出口に接続され、エバポレータ２５はコンプレッサ２６の吸込口に接続されている。このコンプレッサ２６はコンプモータを駆動源とするものであり、コンプモータの運転状態ではコンプレッサ２６の吐出口から吐出された冷媒がコンデンサ２４およびエバポレータ２５のそれぞれを順に通ってコンプレッサ２６の吸込口に戻り、ファンモータ２２およびコンプモータのそれぞれの運転状態では水受槽８内の空気がエバポレータ２５に接触することで冷風化され、冷風がコンデンサ２４に接触することで温風化される。即ち、ドラム１０内に水分を含んだ未乾燥の衣類が投入されている場合にはエバポレータ２５が高温度で高湿度の空気を低温度で高湿度の空気に変換し、コンデンサ２４が低温度で高湿度の空気を高温度で低湿度の空気に変換するので、水受槽８内に低湿度で高温度の空気が注入されることでドラム１０内の衣類の乾燥が促進される。
【００１４】
外箱１の前板２には、図１に示すように、扉２７が装着されている。この扉２７は閉鎖状態および開放状態相互間で左側部の軸２８を中心に回動可能にされたものであり、扉２７の閉鎖状態では扉２７が外箱１の前板２に前方から接触する。この扉２７は円形状をなすものであり、扉２７の開放状態では扉２７が外箱１の前板２に対して前方へ離間する。この外箱１の前板２には、図２に示すように、円形状の貫通孔からなる出入口２９が形成されている。この出入口２９は使用者が水受槽８の前面およびドラム１０の前面のそれぞれを通してドラム１０内に対して衣類を出し入れするためのものであり、扉２７の開放状態でドラム１０内に対して衣類を出し入れすることが可能に開放され、扉２７の閉鎖状態でドラム１０内に対して衣類を出し入れすることが不能に閉鎖される。
【００１５】
水受槽８には、図２に示すように、ゴム製のベローズ２９の後端部が固定されている。このベローズ２９は水受槽８を取り囲む円筒状をなすものであり、扉２７の閉鎖状態では扉２７がベローズ２９の前端部に接触することで扉２７およびベローズ２９の両者が水受槽８の前面を気密状態に塞ぐ。この扉２７には爪片が固定されている。この爪片は扉２７のうち軸２８とは反対の右側部に配置されたものであり、扉２７の閉鎖状態では爪片が開口部３０内に挿入される。この開口部３０は、図３に示すように、外箱１の前板２に形成されたものであり、扉２７の開放状態では扉２７の爪片が開口部３０内から前方へ脱出する。
【００１６】
外箱１の前板２には、図３に示すように、ドアロック機構３１が固定されている。このドアロック機構３１はロック位置およびロック解除位置相互間で移動可能なロック片を有するものであり、扉２７の閉鎖状態でドアロック機構３１のロック片がロック位置に静止している場合には扉２７の爪片に係合することで扉２７が閉鎖状態にロックされ、扉２７の閉鎖状態でドアロック機構３１のロック片がロック位置からロック解除位置に移動した場合には扉２７の爪片から外れることで扉２７がロック解除される。このドアロック機構３１は、図４に示すように、連結片３２を有している。この連結片３２はドアロック機構３１のロック片に連結されたものであり、下降位置および下降位置に比べて上方の上昇位置相互間で移動可能にされている。この連結片３２はロック片をロック位置およびロック解除位置相互間で移動操作するものであり、ロック片は連結片３２の下降位置でロック位置に静止し、連結片３２の上昇位置でロック解除位置に静止する。
【００１７】
外箱１の前板２には、図４に示すように、合成樹脂製のボタンホルダー３３が固定されている。このボタンホルダー３３は前面が開口する容器状をなすものであり、ボタンホルダー３３内には合成樹脂製のスライダー３４が収納されている。このスライダー３４は下降位置および下降位置に比べて上方の上昇位置相互間でボタンホルダー３３の後板に沿って直線的に移動可能にされたものであり、スライダー３４にはスライダー３４の移動方向に対して直交する板状のストッパ３５が形成されている。
【００１８】
ドアロック機構３１の連結片３２には、図４に示すように、連結スプリング３６の下端部が連結されており、連結スプリング３６の上端部はスライダー３４に連結されている。この連結スプリング３６は引張りコイルばねからなるものであり、スライダー３４のストッパ３５はスライダー３４が連結スプリング３６のばね力で下方へ引かれることでボタンホルダー３３の内面に接触し、スライダー３４はストッパ３５がボタンホルダー３３の内面に接触することで下降位置に静止する。このスライダー３４の下降位置ではドアロック機構３１の連結片３２が連結スプリング３６のばね力で下降位置に静止し、ドアロック機構３１の連結片３２が下降位置に静止することでドアロック機構３１のロック片がロック位置に静止している。
【００１９】
ボタンホルダー３３内には、図３に示すように、右斜め上部に位置して軸３７が装着されている。この軸３７は外箱１の前板２に対して平行な直線状をなすものであり、扉２７の軸２８は軸３７に対して平行に配置されている。この軸３７には操作子に相当するドアボタン３８が装着されている。このドアボタン３８は、図４に示すように、円形状のボタン前板３９およびボタン前板３９を取り囲む円筒状のボタン周板４０を有するものであり、後面が開口する容器状をなしている。このドアボタン３８は射出成型内に合成樹脂を注入することで成形されたものであり、ドアボタン３８のボタン前板３９には心棒４１が一体成形されている。この心棒４１はボタン前板３９から後方へ突出するものであり、ボタン前板３９の中心部に配置されている。この心棒４１の後端部にはボタンスプリング４２の前端部が固定されている。このボタンスプリング４２は圧縮コイルばねからなるものであり、前後方向へ指向している。
【００２０】
ドアボタン３８のボタン前板３９には、図３に示すように、操作領域４３が設定されている。この操作領域４３は使用者が前方からドアボタン３８のボタン前板３９を手指で押す場合の領域であり、ボタン前板３９の前面のうち軸３７に心棒４１を挟んで対向する領域を称する。このボタン前板３９には操作領域４３内に位置して複数の目印４４が形成されている。これら複数の目印４４のそれぞれは操作領域４３を使用者に視覚的および触感的に認識させるためのものであり、ボタン前板３９の前面に対して前方へ突出する円形状をなしている。このドアボタン３８は軸３７を中心に非押込み状態および押込み状態相互間で回動可能にされたものである。図５の（ａ）はドアボタン３８の非押込み状態であり、ドアボタン３８の非押込み状態ではボタン前板３９の前面が軸３７から操作領域４３に向けて前方へ傾斜する。図５の（ｂ）はドアボタン３８の押込み状態であり、ドアボタン３８の押込み状態ではボタン前板３９の前面が軸３７から操作領域４３に向けて非押込み状態よりも後方へ傾斜する。
【００２１】
ボタンホルダー３３内には、図４に示すように、レバー４５が水平な軸４６を中心に回動可能に装着されている。このレバー４５はボタンスプリング４２の後端部を軸４６に比べて下方で受けるものであり、レバー４５にはピン４７が固定されている。このピン４７は水平な円柱状をなすものであり、レバー４５が軸４６を中心に回動することに応じて円周方向へ移動する。このピン４７は２つのアーム４８相互間の隙間に挿入されている。これら２つのアーム４８のそれぞれはスライダー３４に形成されたものであり、ドアボタン３８に操作力が作用していない状態ではスライダー３４が連結スプリング３６のばね力で下降位置に静止し、スライダー３４が下降位置に静止することでレバー４５が静止し、レバー４５が静止することでドアボタン３８が非押込み状態に静止する。
【００２２】
扉２７のロック状態およびドアボタン３８の非押込み状態で使用者がドアボタン３８の操作領域４３を手指で後方へ押した場合にはドアボタン３８が非押込み状態から押込み状態に回動する。このドアボタン３８が非押込み状態から押込み状態に操作された場合にはレバー４５が軸４６を中心に図４の反時計回り方向へ回動することでピン４７が同方向へ移動し、ピン４７が移動することでスライダー３４が連結スプリング３６のばね力に抗して下降位置から上昇位置に移動し、スライダー３４が上昇位置に移動することでドアロック機構３１の連結片３２が下降位置から上昇位置に移動する。このドアロック機構３１の連結片３２が上昇位置に移動することでドアロック機構３１のロック片がロック位置からロック解除位置に移動し、ドアロック機構３１のロック片がロック解除位置に移動することで扉２７の爪片から外れ、ドアロック機構３１のロック片が扉２７の爪片から外れることで扉２７がロック状態からロック解除状態になる。
【００２３】
扉２７のロック解除状態およびドアボタン３８の押込み状態で使用者がドアボタン３８の操作領域４３から手指を離した場合にはスライダー３４が連結スプリング３６のばね力で上昇位置から下降位置に移動し、スライダー３４が下降位置に移動することでレバー４５が軸４６を中心に図４の時計回り方向へ回動し、レバー４５が時計回り方向へ回動することでドアボタン３８が押込み状態から非押込み状態に自己復帰する。これと共にスライダー３４が下降位置に移動することでドアロック機構３１の連結片３２が上昇位置から下降位置に移動し、ドアロック機構３１の連結片３２が下降位置に移動することでドアロック機構３１のロック片がロック解除位置からロック位置に移動する。即ち、ドアボタン３８は操作力が作用していない場合に非押込み状態に静止するものであり、使用者がドアボタン３８の非押込み状態で操作領域４３を手指で後方へ押した場合にはドアボタン３８が軸３７を中心に非押込み状態から押込み状態に回動し、使用者がドアボタン３８の押込み状態で操作領域４３から手指を離した場合にはドアボタン３８が軸３７を中心に押込み状態から非押込み状態に連結スプリング３６のばね力で自己復帰する。
【００２４】
ボタンホルダー３３には、図４に示すように、操作プレート４９が装着されている。この操作プレート４９はドアボタン３８の軸３７に対して平行な軸５０を中心に回動可能にされたものであり、図３に示すように、軸５０に比べてドアボタン３８側に位置するドアボタン側操作部５１および軸５０に比べて扉２７側に位置する扉側操作部５２を有する平板状をなしている。この操作プレート４９はスプリングのばね力で初期状態に静止するものであり、扉２７のロック状態およびドアボタン３８の非押込み状態では操作プレート４９が初期状態に静止することで操作プレート４９のドアボタン側操作部５１がドアボタン３８のボタン周板４０に後方から隙間を介して対向し、操作プレート４９の扉側操作部５２が扉２７に後方から隙間を介して対向する。
【００２５】
扉２７のロック状態でドアボタン３８が非押込み状態から押込み状態に操作された場合にはドアボタン３８のボタン周板４０が操作プレート４９のドアボタン側操作部５１を後方へ押すことで操作プレート４９が軸５０を中心にスプリングのばね力に抗して操作状態に回動する。この操作プレート４９の操作状態はドアボタン側操作部５１が初期状態に比べて後方へ移動し、扉側操作部５２が初期状態に比べて前方へ移動した状態であり、操作プレート４９の操作状態では扉側操作部５２が扉２７を前方へ押す。この操作プレート４９の操作状態ではドアロック機構３１のロック片が扉２７の爪片から外れることで扉２７がロック解除状態にされており、操作プレート４９の扉側操作部５２が扉２７を前方へ押すことで閉鎖状態から開放状態に操作する。この操作プレート４９の操作状態でドアボタン３８が押込み状態から非押込み状態に自己復帰した場合にはドアボタン３８のボタン周板４０が操作プレート４９のドアボタン側操作部５１から前方へ離れるので、操作プレート４９がスプリングのばね力で操作状態から初期状態に自己復帰する。
【００２６】
外箱１の前板２には、図１に示すように、前蓋に相当する前板カバー５３が固定されている。この前板カバー５３は不透明な合成樹脂を材料とするものであり、外箱１の前板２に対して略平行な板状をなしている。この前板カバー５３は外箱１の前板２を前方から覆う化粧板として機能するものであり、前板２のドアロック機構３１とボタンホルダー３３とスライダー３４と連結スプリング３６とレバー４５と操作プレート４９のそれぞれを前方から視覚的に認識不能に隠している。この前板カバー５３には円形状の開口部５４が形成されている。この開口部５４は扉２７の閉鎖状態で扉２７が挿入されるものであり、扉２７は開口部５４を通して閉鎖状態および開放状態相互間で回動する。
【００２７】
前板カバー５３には、図６に示すように、円形状の貫通孔からなる操作窓５５が形成されている。この操作窓５５は使用者がドアボタン３８の操作領域４３を前方から手指で操作するためのものであり、図５に示すように、ドアボタン３８のボタン前板３９はドアボタン３８の非押込み状態で操作窓５５内に位置し、ドアボタン３８の押込み状態で操作窓５５に比べて後方に移動する。このドアボタン３８は非押込み状態から押込み状態および押込み状態から非押込み状態のそれぞれに相互に同一の曲状の軌跡で軸３７を中心に回動するものであり、図５の矢印Ｌ１はドアボタン３８が非押込み状態および押込み状態相互間で回動する場合の軌跡である。前板カバー５３は第１の成形型に相当する射出成形型内に合成樹脂を注入することで成形されたものである。この射出成形型は可動型および固定型からなるものであり、前板カバー５３は可動型を固定型に対して直線的に移動操作する型割りを行うことで射出成形型から取り出される。図５の矢印Ｌ２は可動型の移動方向であり、移動方向Ｌ２はドアボタン３８の軌跡Ｌ１に対して交差している。
【００２８】
前板カバー５３には、図４に示すように、複数の脚５６が形成されている。これら複数の脚５６のそれぞれは前板カバー５３を射出成形するときに一体に成形されたものであり、型割り方向Ｌ２に対して平行な直線状をなしている。これら複数の脚５６のそれぞれは操作窓５５を取囲むように配置されたものであり、複数の脚５６のそれぞれの後端部には爪５７が形成されている。これら複数の爪５７のそれぞれは前板カバー５３を射出成形するときに一体に成形されたものであり、脚５６から操作窓５５の中央部に向けて突出する三角形状をなしている。
【００２９】
前板カバー５３には、図７に示すように、保護カバー５８が装着されている。この保護カバー５８は、図８に示すように、前板カバー５３の操作窓５５を取囲む円筒状をなすものであり、第２の成形型に相当する射出成形型内に合成樹脂を注入することで成形されている。この保護カバー５８の前後方向の高さ寸法はドアボタン３８が非押込み状態および押込み状態相互間で回動する場合のストロークの大きさに応じて設定されており、ドアボタン３８の軸３７と同一側から反対側に向けて大きく設定されている。この保護カバー５８は、図５に示すように、ドアボタン３８を非押込み状態および押込み状態のそれぞれで取り囲むものであり、保護部材に相当する。
【００３０】
保護カバー５８には、図８に示すように、上取付部５９および下取付部６０が形成されている。これら上取付部５９および下取付部６０のそれぞれは保護カバー５８を射出成形するときに一体に成形されたものであり、保護カバー５８から外周部へ突出する平板状をなしている。これら上取付部５９および下取付部６０のそれぞれには複数の切欠部６１が形成されている。これら複数の切欠部６１のそれぞれは前板カバー５３の脚５６が挿入されたものであり、前板カバー５３の複数の爪５７のうちの一部は脚５６が上取付部５９の切欠部６１内に挿入されることで上取付部５９に後方から係合し、前板カバー５３の複数の爪５７のうちの残りは脚５６が下取付部６０の切欠部６１内に挿入されることで下取付部６０に後方から係合し、保護カバー５８の前端面は爪５７および上取付部５９相互間の係合力に加えて爪５７および下取付部６０相互間の係合力で前板カバー５３の後面に押付けられることで前板カバー５３の目標位置に位置ずれ不能に固定されている。
【００３１】
保護カバー５８の内周面は、図５に示すように、ドアボタン３８が非押込み状態および押込み状態相互間で回動する場合にドアボタン３８の位置に拘らずドアボタン３８の表面に隙間を介して対向するものであり、ドアボタン３８の表面および保護カバー５８の内周面相互間の隙間はドアボタン３８が非押込み状態および押込み状態相互間で保護カバー５８の内周面に接触することなく回動することを許容する。この保護カバー５８の内周面はドアボタン３８の軌跡Ｌ１に対して平行な曲面からなるものであり、ドアボタン３８が非押込み状態および押込み状態相互間で回動する場合にはドアボタン３８の操作領域４３においてドアボタン３８の外周面および保護カバー５８の内周面相互間に一定の大きさの隙間６２が形成される。この隙間６２は日本人の女性の平均的な手の小指の太さに比べて小さな寸法（２ｍｍ）に設定されたものであり、ドアボタン３８が非押込み状態および押込み状態相互間で回動する場合にはドアボタン３８のうち操作領域４３を除く残りの領域においてもドアボタン３８の外周面および保護カバー５８の内周面相互間に同一の大きさの隙間６２が形成される。
【００３２】
上記実施例１によれば次の効果を奏する。
使用者が前方から前板カバー５３の操作窓５５を通して手指でドアボタン３８の操作領域４３を後方へ押した場合にはドアボタン３８が非押込み状態から押込み状態に回動することに応じて使用者の手指が前板カバー５３の操作窓５５に対して後方へ移動する。このドアボタン３８の操作領域４３では隙間６２が使用者の手指の太さに比べて小さな寸法に設定されているので、使用者がドアボタン３８の押込み状態で操作領域４３から手指を離したことでドアボタン３８が押込み状態から非押込み状態に自己復帰するときに使用者の手指がドアボタン３８および前板カバー５３相互間に挟まれることがなくなる。保護カバー５８を前板カバー５３とは別に射出成形したので、ドアボタン３８の移動軌跡Ｌ１および前板カバー５３の型割り方向Ｌ２が相互に交差する場合であっても保護カバー５８として軌跡Ｌ１に対して平行な曲状の内面を有するものを成形できる。
【００３３】
上記実施例１においては、本発明を衣類の乾燥機能を持たない洗濯専用の衣類洗濯機または衣類の洗濯機能を持たない乾燥専用の衣類乾燥機に適用しても良い。
上記実施例１においては、本発明を扉２７を開放状態にするためのドアボタン３８とは異なる操作子に適用しても良い。
【符号の説明】
【００３４】
１は外箱、２は前板、１０はドラム（槽）、３７は軸、３８はドアボタン（操作子）、４３は操作領域、５３は前板カバー（前蓋）、５５は操作窓、５８は保護カバー（保護部材）、６２は隙間である。
【図１】
2012024136.tif 000003
【図２】
2012024136.tif 000004
【図３】
2012024136.tif 000005
【図４】
2012024136.tif 000006
【図５】
2012024136.tif 000007
【図６】
2012024136.tif 000008
【図７】
2012024136.tif 000009
【図８】
2012024136.tif 000010